(57)【要約】【課題】      ライトな着け心地でありながら、バストの補整機能を有しバストラインを美しく見せると同時に、着用安定性を有するチューブブラを提供すること。【解決の手段】チューブブラ本体１の前身頃２を伸縮性生地の表布２ａとシャーリング４の有する凹凸状の伸縮性生地の裏布２ｂから構成する。表布２ａの上下端縁を内方に折り曲げて裏布２ｂの上下端縁と縫着して上下部伸縮帯１１，１２を形成する。肌が当接する裏布２ｂの中央部５と両側部の下半分６，６を強いパワー領域部とし、上半分７を非伸縮性または伸びにくい生地の領域部、下辺部８を中パワー領域部、裏布２ｂの中央部５と両側部間９，９を小パワー領域部とし、表布２ａと裏布２ｂの間の空間部に弾性パッド１９を介在する。【選択図】    図３
0003111510.tif 000002
【実用新案登録請求の範囲】
【請求項１】
チューブブラ本体の前身頃を伸縮性生地の表布とシャーリングの有する凹凸状の伸縮性生地の裏布から構成し、表布の上下端縁を内方に折り曲げて裏布の上下端縁と縫着して上下部伸縮帯を形成すると共に、肌が当接する裏布の中央部と両側部の下半分を強いパワー領域部とし、上半分を非伸縮性または伸びにくい生地の領域部、下辺部を中パワー領域部、裏布の中央部と両側部間を小パワー領域部とし、表布と裏布の間の空間部に弾性パッドを介在したことを特徴とするチューブブラ。
【考案の詳細な説明】
【技術分野】
【０００１】
本考案は、ソフトな肌当りで、着け心地の良い短筒状のチューブブラに関し、さらに詳しくは、補正機能を有するチューブブラに関するものである。
【背景技術】
【０００２】
ブラジャーの着用する目的は、乳房を覆い隠すと言う効用もさることながら、むしろ乳房を理想的な形状に整えて、結果的にバスト全体を美しく形付けると言う造形機能が特に要求されている。
【０００３】
通常、ブラジャーは左右カップ布と、そのカップ布の下に縫着される土台布と、カップ布の外側部に縫着され脇部から背中部にかけて伸びるバック布と、肩紐から構成されている。また、カップ部の下辺湾曲部に沿って略Ｕ字状のワイヤーを取り付けることにより、乳房の垂れ下がりや脇方向への流れを防止し、乳房を形良く整えてシルエットを美しく見せるワイヤーブラが知られている。
【０００４】
上記のブラジャーは、各部位によって生地やパワーを変えてあり縫製によって仕上げるので縫製工程が多くなり、高度の縫製技術を必要とするだけでなく、ワイヤーやフック・アイ、縁テープなどを取り付けるのでゴロツキ感があった。
【０００５】
このワイヤーブラは、生地の特性によってバストおよびサイドを締め付けてバストを上方に持ち上げ、バストラインを補整しているのでどうしても締め付け感が強く、またバスト形状とワイヤーの形状が合わないと、肌への食い込み、圧迫などがあり苦痛を与えると言う問題点があった。
【０００６】
上記のような締め付けられるのが嫌いな人はノンワイヤーブラを着用することになる。そのノンワイヤーブラとしては、前記縫製ブラジャーのカップ部の下辺湾曲部に取り付けられているワイヤーをなくしたものがあるが、フック・アイや縁テープなどが用いられていることに変わりがなく、また生地の特性によってバストおよびサイドを締め付けることにおいても何ら変わらないので着け心地が悪いと言った欠点があった。
【０００７】
また、別のものとして、丸編み機で筒状に編成して、カップ布部、フロント布部、脇布部などブラジャーを構成する生地を一連に筒編みされた短筒状のチューブブラが知られている。（例えば、特許文献１）
【特許文献１】実開昭６２−１８００１４号公報
【考案の開示】
【考案が解決しようとする課題】
【０００８】
しかしながら、上記のチューブブラは、前身頃の表布のカップとカップの間の正面中央部にシャーリング加工が施された凹凸状の編み生地を使用することにより、装着時にバストにフイットするようにしているが、実際にバストに当接する裏布はフラットな編み生地の平面体であることから、着用して動いた時にズレが生じやすかった。また、薄い生地のアウターを着用すると、凹凸状の編み生地がアウター越しに見えて不体裁になると言う問題点があった。
【０００９】
本考案は、上記の問題点を解決することを課題として研究開発されたもので、ライトな着け心地でありながら、バストの補整機能を有しバストラインを美しく見せると同時に、着用安定性を有するチューブブラを提供することを目的とするものである。
【課題を解決するための手段】
【００１０】
上記の課題を解決し、その目的を達成する手段として、本考案では、チューブブラ本体の前身頃を伸縮性生地の表布とシャーリングの有する凹凸状の伸縮性生地の裏布から構成し、表布の上下端縁を内方に折り曲げて裏布の上下端縁と縫着して上下部伸縮帯を形成すると共に、肌が当接する裏布の中央部と両側部の下半分を強いパワー領域部とし、上半分を非伸縮性または伸びにくい生地の領域部、下辺部を中パワー領域部、裏布の中央部と両側部間を小パワー領域部とし、表布と裏布の間の空間部に弾性パッドを介在したことを特徴とするチューブブラを開発し、採用した。
【考案の効果】
【００１１】
前身頃の肌が当接する裏布の中間部と両側面部の下半分にシャーリングが施されているから、着用した際に、シャーリングが縦横方向に充分伸びて被着者のバストにピッタリと適合してズレ動くことがなくフィットする。また、肌が当る裏布の中央部と両側部の下半分にパワー強の領域部を、上半分を非伸縮性または伸びにくい生地の領域部とし、下辺部にパワー中の領域部地を、肌側中央部と両側間をパワー小の領域部に編成してあるから、バストは左右から中央に寄せられると共に、下部は持ち上げられるので、バストを充分サポートして美しいバストラインを整形する。
【考案を実施するための最良の形態】
【００１２】
以下に、本考案の実施の形態を添付図面に基づいて説明すれば、１は短筒状に形成されたチューブブラ本体であり、胸部を覆う前身頃２と背中部を覆う後身頃３が両側辺で縫着されている。前身頃２は左右側面部と中間部が同一幅になっているが、後身頃３は左右側面部が幅広で中間部がやや幅狭に形成されている。
【００１３】
前身頃２は伸縮性生地の表布２ａと裏布２ｂの二重布で構成されており、表布２ａはフラットな編生地である。一方、裏布２ｂは図３に示すように、バストの当る中央部や両側部の下半分にシャーリング４が施された凹凸状の編生地である。この裏布２ｂは、カップとカップの間の肌が当る中央部５と両側部の下半分６，６を強いパワー領域で編成されてあり、上半分７，７を非伸縮性または伸びにくい生地の領域部とし、カップ下辺部８，８を円弧状に湾曲させて中パワー領域で編成されていると共に、裏布２ｂの中央部５と両側部６，６、７，７間９，９を弱いパワー領域部で編成されている。
【００１４】
前身頃２の表布２ａの上下端縁は適宜幅を内方に折り返し、その内面側に裏布２ｂを配して裏布２ｂの上下端縁と重ねてオーバロック縫着１０，１０して二重部の上下部伸縮帯１１，１２が上下開口周縁部１３，１４に形成されている。
【００１５】
１５は表布２ａと裏布２ｂの側辺縁のオーバロック縫着部であり、この縫着部１５は略中間部まで縫着されていて上端は斜め状の開口部１６を設けて後述の弾性パッド１９の挿脱口になっている。
【００１６】
上部伸縮帯１１の内面の上部にはストラップ１７を挿通するためのストラップループ１８が所定間隔で３個取り付けてあり、その中にストラップ１７を通すことにより、ストラップ１７を首の裏面側に回して止めることができるようになっている。
【００１７】
１９は前身頃２の表布２ａと裏布２ｂの間に介在する左右が一体に連設された弾性パッドで、前方に向かって突出するポリウレタンフォームまたは不織布からなる比較的厚い芯地にナイロンなどの生地で被覆されたものであり、前記斜め状の開口部１６から弾性パッド１９を挿入したり、取り出したりできるようになっている。
【００１８】
このように構成した本考案の実施の形態に基づいて、その使用状態を作用、効果と共に説明すると、チューブブラ本体１の上部開口周縁部１３を広げて頭からかぶることによって簡単に着用することができる。
【００１９】
バスト部に装着すると、ワイヤー、フック・アイ、縁テープ、ストラップなどが付いていないので、圧迫や食い込みがなく肌あたりがソフトでライトな着け心地でありながら、肌が当る裏布の中央部５のパワー強領域部と、両側部の下半分６，６のパワー強領域部と、上半分７，７の非伸縮性または伸びにくい領域部とによって、バストの脇方向への広がりを防止して中央部へ寄せ、かつバスト下辺湾曲部８，８のパワー中の領域部によって下方へ垂れようとするのを、上部に持ち上げられるので、バストのボリュームアップを図ることができ、美しいバストシルエットを作ることが出来る。
【００２０】
また、上下開口周縁部１３，１４に形成された伸縮帯１１，１２は、折り返しによる二重部に形成されているから、フィット性が良く、ズレ上がりやズレ下がりを防止して良好な着心地が得られる。さらに、肩や背中が大きく開いたアウターを着用する時のストラップレスブラとして便利であると共に、ストラップループ１８にストラップ１７を通すことにより、図7に示すように、ストラップ付きチューブブラにもできる便利性がある。
【００２１】
また、前身頃２の表布２ａと裏布２ｂの間の空間部に前方に突出する左右一体の軟質パッド１９を介在してあるから、乳首を隠すと共に当りがよくバストアップになり美しいバストラインが形成される。
【００２２】
以上、本考案の主要な実施の形態について説明したが、本考案はこれらの実施の形態に限定されるものではなく、本考案の目的を達成でき、かつ考案の要旨を逸脱しない範囲内で種々設計変更が可能であり、それらも全て本考案の範囲内に包含されるものである。
【産業上の利用可能性】
【００２３】
本考案のチューブブラは、ソフトで着け心地がよいことから、バストが気になり始めた女の子の着け始めブラジャーとして適するばかりでなく、バストラインが気になる若い女性や中年女性が着用するブラジャーとしても利用できるものである。
【図面の簡単な説明】
【００２４】
【図１】本考案のチューブブラの斜視図である。
【図２】後身頃を一部欠除して裏布の肌側を現した説明図である。
【図３】裏布の肌側の説明図である。
【図４】図１のＡ−Ａ線拡大断面図である。
【図５】弾性パッドの正面図である。
【図６】着用状態を示す斜視図である。
【図７】ストラップブラとした状態の斜視図である。
【符号の説明】
【００２５】
１    チューブブラ本体
２    前身頃
２ａ  表布
２ｂ  裏布
４    シャーリング
５    裏布中央部
６    側部下半分
７    側部上半分
８    下辺部
９    裏布の中央部と両側部間
１１  上部伸縮帯
１２  下部伸縮帯
１９  弾性パッド
【図１】
0003111510.tif 000003
【図２】
0003111510.tif 000004
【図３】
0003111510.tif 000005
【図４】
0003111510.tif 000006
【図５】
0003111510.tif 000007
【図６】
0003111510.tif 000008
【図７】
0003111510.tif 000009